(57)【要約】【課題】側方ガラス部材の強度を保持することができ、いかなる方向から外力が加わった場合にも、側方ガラス部材を支持する部材が存在した状態となり、強度的に強く、いわゆるチッピングが発生することなく、破損損傷せず、品質が低下することのない時計を提供する。【解決手段】時計ケース胴体の側面にガラス部材を備えた時計であって、時計ケース胴体の側面から、平面方向外側に突設する複数の側方支持部と、隣接する側方支持部の間に形成された複数の側方収容凹部と、少なくとも１つの側方収容凹部に装着された側方ガラス部材とを備え、側方ガラス部材の側面が、隣接する側方支持部によって支持されている。【選択図】図１
2010127765.tif 000002
【特許請求の範囲】
【請求項１】
時計ケース胴体の側面にガラス部材を備えた時計であって、
前記時計ケース胴体の側面から、平面方向外側に突設する複数の側方支持部と、
前記隣接する側方支持部の間に形成された側方収容凹部と、
前記側方収容凹部に装着された側方ガラス部材とを備え、
前記側方ガラス部材の側面が、隣接する側方支持部によって支持されていることを特徴とする時計。
【請求項２】
前記側方支持部の間に支持された側方ガラス部材が、時計ケース胴体の側面の外周に配置されていることを特徴とする請求項１に記載の時計。
【請求項３】
前記時計ケース胴体の裏面に装着される裏蓋が、前記側方支持部に係止部材によって係止されていることを特徴とする請求項１から２のいずれかに記載の時計。
【請求項４】
前記側方ガラス部材が、多面カットが施された側方ガラス部材であることを特徴とする請求項１から３のいずれかに記載の時計。
【請求項５】
前記側方支持部の上面に、凹部が形成されており、前記凹部に側方ガラス部材が装着されていることを特徴とする請求項１から４のいずれかに記載の時計。
【請求項６】
前記隣接する側方支持部の間に形成された側方収容凹部内に、前記時計ケース胴体の側面から、平面方向外側に突設して、前記側方ガラス部材の下面を支持する下方支持部を備えていることを特徴とする請求項１から４のいずれかに記載の時計。
【請求項７】
前記側方ガラス部材に、時計の操作部材用の開口部が形成されていることを特徴とする請求項１から６のいずれかに記載の時計。
【請求項８】
前記時計ケース胴体の上面に装着される風防ガラスが、多面カットが施された上方ガラス部材であることを特徴とする請求項１から７のいずれかに記載の時計。
【請求項９】
前記側方ガラス部材の時計ケース胴体側の表面に、内面被膜が形成されていることを特徴とする請求項１から８のいずれかに記載の時計。
【請求項１０】
前記側方ガラス部材の側方支持部側の表面に、内面被膜が形成されていることを特徴とする請求項１から９のいずれかに記載の時計。
【請求項１１】
前記側方ガラス部材の下方支持部側の表面に、内面被膜が形成されていることを特徴とする請求項１から１０のいずれかに記載の時計。
【請求項１２】
前記上方ガラス部材の時計ケース胴体側の一部の表面に、内面被膜が形成されていることを特徴とする請求項１から１１のいずれかに記載の時計。
【請求項１３】
前記裏蓋の下面に、時計バンドの連結部が形成されていることを特徴とする請求項１から１２のいずれかに記載の時計。
【請求項１４】
前記側方支持部が延設された延設部を有し、前記延設部に時計バンドの連結部が形成されていることを特徴とする請求項１から１２のいずれかに記載の時計。
【請求項１５】
前記側方収容凹部内に、時計ケース胴体の側面から、平面方向外側に突設する補助側方支持部が形成されて、側方収容凹部が形成されていることを特徴とする請求項１から１４のいずれかに記載の時計。
【請求項１６】
前記各側方収容凹部内に、複数の側方ガラス部材が装着されていることを特徴とする請求項１から１５のいずれかに記載の時計。
【請求項１７】
前記各側方収容凹部内に装着された複数の側方ガラス部材同士が、異なる種類の側方ガラス部材が装着されていることを特徴とする請求項１６に記載の時計。
【請求項１８】
前記時計ケース胴体が、平面視で多角形の形状であることを特徴とする請求項１から１７のいずれかに記載の時計。
【請求項１９】
前記時計ケース胴体が、平面視で円形の形状であることを特徴とする請求項１から１７のいずれかに記載の時計。
【請求項２０】
前記複数の側方支持部が、時計ケース胴体の側面から、平面方向外側に所定の中心角度で離間して突設されていることを特徴とする請求項１９に記載の時計。
【請求項２１】
前記側方収容凹部が、複数の側方収容凹部から構成されていることを特徴とする請求項１から２０のいずれかに記載の時計。
【発明の詳細な説明】
【技術分野】
【０００１】
本発明は、例えば、腕時計などにおいて、多面カットなどの装飾処理が施されたガラス部材を備えた時計、特に、時計ケース胴体の側面、上面の風防ガラスの部分に、装飾処理が施されたガラス部材を備えた装飾性の高い時計に関する。
【背景技術】
【０００２】
従来、腕時計において、装飾性、デザインのバリエーションの拡大、高級感を向上するために、時計ケース胴体の側面にガラス部材を備えた腕時計が、特許文献１（特開昭５５−０４７４７３号公報）、特許文献２（ヨーロッパ特許公報（ＥＰ−１０８４４６０Ｂ１））などにおいて既に提案されている。
【０００３】
これらの従来のガラス部材を備えた腕時計について、特許文献２の腕時計を模式的に示したのが、図２７の平面図、図２８の部分拡大断面図である。
なお、本明細書において、「上面」、「上方向」、「上方」、「表側」とは、時計の視認側を言い、「下面」、「下方向」、「下方」、「裏側」とは、時計の視認側と反対側を言う。
【０００４】
図２７に示したように、従来の腕時計１００は、時計ケース胴体１０２を備えており、時計ケース胴体１０２の側面１０４に、上方フランジ１０６が、周方向外側に突設されている。
【０００５】
一方、裏蓋１０８が、ネジなどの締結部材１１０によって、時計ケース胴体１０２の下面側に固定、この裏蓋１０８の外周側が周方向外側に突設する延設部１１２が形成されている。そして、時計ケース胴体１０２の上方フランジ１０６と、裏蓋１０８の延設部１１２によって、時計ケース胴体１０２の側面１０４に、側方収容凹部１１４が形成されている。この側方収容凹部１１４に、いわゆる多面カット処理が施された環状の側方ガラス部材１１６が嵌合されている。
【０００６】
なお、この側方ガラス部材１１６の上方隅角部分と、時計ケース胴体１０２の上方フランジ１０６との間には、環状のＯリングパッキン１１８が介装されるとともに、側方ガラス部材１１６の下方部分と、裏蓋１０８の間にはパッキン１２０が介装されている。
【０００７】
また、図２７、図２８中、符号１２２は、風防ガラス、１２４は、防水パッキン、１２６は、表示板、１２８は、ムーブメント、１３０は、ムーブメント１２８を支持する支持枠、１３２は、バンドの連結部材、１３４は、バンド、１３６は、リューズなどの操作部材を示している。
【特許文献１】特開昭５５−０４７４７３号公報
【特許文献２】ヨーロッパ特許公報（ＥＰ−１０８４４６０Ｂ１）
【発明の開示】
【発明が解決しようとする課題】
【０００８】
しかしながら、特許文献１、２に記載の従来の腕時計１００では、例えば、図２８の矢印で示したように、外周側から内向きに外力が加わった場合には、側方ガラス部材１１６は、時計ケース胴体１０２の側面１０４に保持された状態であるので、強度を保持することができる。これに対して、従来の腕時計１００では、例えば、図２７の矢印方向に、外力が加わった場合には、側方ガラス部材１１６を支持する部材が存在しない状態となるので、強度的に弱く、いわゆるチッピングが発生するなどして、破損損傷してしまい品質が低下することになる。
【０００９】
また、従来の腕時計１００では、側方ガラス部材１１６は、環状で一体であるので、多面カット処理、製造が難しく、一部分でもカット処理のミスが発生した場合には、側方ガラス部材１１６を破棄しなければならず、コストが高くつくことになるとともに、資源の無駄使いとなっていた。
【００１０】
さらに、従来の腕時計１００では、側方ガラス部材１１６は、環状で一体であるので、デザイン的にも単純なものであり、デザインバリエーションの拡大が図れ、高級感のある斬新なデザインの時計を得るにはまだまだ十分でなかった。
【００１１】
本発明は、このような現状に鑑み、側方ガラス部材の強度を保持することができ、いかなる方向から外力が加わった場合にも、側方ガラス部材を支持する部材が存在した状態となり、強度的に強く、いわゆるチッピングが発生することなく、破損損傷せず、品質が低下することのない時計を提供することを目的とする。
【００１２】
また、従来の腕時計のように、側方ガラス部材が、環状で一体でなく、複数の側方ガラス部材から構成され、多面カットなどの装飾処理、製造が簡単で、一部分でも多面カットなどの装飾処理のミスが発生した場合にも、その部分の側方ガラス部材だけを、新しい正常に装飾処理を施した側方ガラス部材に交換するだけで良く、コストを低減することができ、資源を効率よく利用できる時計を提供することを目的とする。
【００１３】
さらに、従来の腕時計のように、側方ガラス部材が、環状で一体でなく、複数の側方ガラス部材から構成され、デザインバリエーションの拡大が図れ、高級感のある斬新なデザインの時計を提供することを目的とする。
【課題を解決するための手段】
【００１４】
本発明は、前述したような従来技術における課題及び目的を達成するために発明されたものであって、本発明の時計は、
時計ケース胴体の側面にガラス部材を備えた時計であって、
前記時計ケース胴体の側面から、平面方向外側に突設する複数の側方支持部と、
前記隣接する側方支持部の間に形成された側方収容凹部と、
前記側方収容凹部に装着された側方ガラス部材とを備え、
前記側方ガラス部材の側面が、隣接する側方支持部によって支持されていることを特徴とする。
【００１５】
このように構成することによって、時計ケース胴体の側面から、平面方向外側に突設する複数の側方支持部のうち、隣接する側方支持部の間に形成された側方収容凹部に、側方ガラス部材が装着され、側方ガラス部材の側面が、隣接する側方支持部によって支持されていることになる。
【００１６】
従って、平面方向において、いかなる方向から外力が加わった場合にも、側方ガラス部材が側方支持部によって支持されている状態となり、強度的に強く、いわゆるチッピングが発生することなく、破損損傷せず、品質が低下することのない時計を提供することができる。
【００１７】
また、従来の腕時計のように、側方ガラス部材が、環状で一体でなく、複数の側方ガラス部材から構成され、多面カットなどの装飾処理、製造が簡単で、一部分でも多面カットなどの装飾処理のミスが発生した場合にも、その部分の側方ガラス部材だけを、新しい正常に装飾処理を施した側方ガラス部材に交換するだけで良く、コストを低減することができ、資源を効率よく利用できる時計を提供することができる。
【００１８】
さらに、従来の腕時計のように、側方ガラス部材が、環状で一体でなく、複数の側方ガラス部材から構成されるので、異なる種類の側方ガラス部材、例えば、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【００１９】
この場合、本明細書で、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００２０】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００２１】
さらに、隣接する側方支持部の間に形成された複数の側方収容凹部に全てのうち、側方ガラス部材を装着することもできるが、少なくとも１つの側方収容凹部に装着すれば良く、側方ガラス部材の装着数、装着位置を種々選択することによって、デザインバリエーションの拡大が図れ、高級感のある斬新なデザインの時計を提供することができる。
【００２２】
なお、この場合、側方収容凹部に側方ガラス部材を装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００２３】
また、時計ケース胴体の材料としては、特に限定されるものではなく、例えば、金、銀、銅、プラチナ、白金、黄銅、アルミニウム、マグネシウム、亜鉛、チタン、またはこれらの合金、セラミック、超硬材などを採用することができる。
【００２４】
また、本発明の時計は、前記側方支持部の間に支持された側方ガラス部材が、時計ケース胴体の側面の外周に配置されていることを特徴とする。
このように側方支持部の間に支持された側方ガラス部材が、時計ケース胴体の側面の外周に配置されているので、デザインバリエーションの拡大が図れるとともに、平面方向において、いかなる方向から外力が加わった場合にも、側方ガラス部材が環状に側方支持部によって全て支持されている状態となり、強度的にさらに強く、いわゆるチッピングが発生することなく、破損損傷せず、品質が低下することのない時計を提供することができる。
【００２５】
また、本発明の時計は、前記時計ケース胴体の裏面に装着される裏蓋が、前記側方支持部に係止部材によって係止されていることを特徴とする。
このように構成することによって、時計ケース胴体の裏面に裏蓋を、側方支持部に、例えば、ネジなどの係止部材によって係止することができるので、裏蓋を、時計ケース胴体の裏面に確実に固定することができる。
【００２６】
また、本発明の時計は、前記側方ガラス部材が、多面カットが施された側方ガラス部材であることを特徴とする。
このように側方ガラス部材が、多面カットが施されているので、デザインバリエーションの拡大が図れ、高級感のある斬新なデザインの時計を提供することができる。
【００２７】
なお、この場合、多面カットとは、複数の面が様々な角度で交わった面を有するような処理を言い、特に限定されるものではない。
また、本発明の時計は、前記側方支持部の上面に、凹部が形成されており、前記凹部に側方ガラス部材が装着されていることを特徴とする。
【００２８】
このように構成することによって、側方収容凹部に側方ガラス部材が装着されているだけでなく、側方支持部の上面に形成された凹部にも、側方ガラス部材が装着されているので、デザインバリエーションの拡大が図れ、高級感のある斬新なデザインの時計を提供することができる。
【００２９】
また、本発明の時計は、前記隣接する側方支持部の間に形成された側方収容凹部内に、前記時計ケース胴体の側面から、平面方向外側に突設して、前記側方ガラス部材の下面を支持する下方支持部を備えていることを特徴とする。
【００３０】
このように構成することによって、側方ガラス部材の下面が、下方支持部によって支持されていることになる。
従って、上下方向から外力が加わった場合にも、側方ガラス部材が側方支持部によって支持されている状態となり、強度的に強く、いわゆるチッピングが発生することなく、破損損傷せず、品質が低下することのない時計を提供することができる。
【００３１】
また、本発明の時計は、前記側方ガラス部材に、時計の操作部材用の開口部が形成されていることを特徴とする。
このように側方ガラス部材に、時計の操作部材用の開口部が形成されているので、この開口部を介して、例えば、リューズなどの操作部材を操作して、時計の時刻合わせ、日付、曜日合わせなど各種の操作を容易に行うことができる。
【００３２】
また、本発明の時計は、前記時計ケース胴体の上面に装着される風防ガラスが、多面カットが施された上方ガラス部材であることを特徴とする。
このように、時計ケース胴体の上面に装着される風防ガラスを、多面カットが施された上方ガラス部材から構成することによって、側方収容凹部に装着された側方ガラス部材と組み合わさって、デザインバリエーションのさらに拡大が図れ、高級感のある斬新なデザインの時計を提供することができる。
【００３３】
また、本発明の時計は、前記側方ガラス部材の時計ケース胴体側の表面に、内面被膜が形成されていることを特徴とする。
なお、この場合、内面被膜としては、有色被膜や反射被膜とすることができる。
【００３４】
また、内面被膜は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【００３５】
さらに、内面被膜は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。また、内面被膜は、印刷、スピンコート、ディッピング、刷毛塗り、噴霧塗装、静電塗装、電着塗装等の塗装などにより形成した、例えば、有機染料若しくは無機染料を含む、インクまたは塗料を、被覆することによって形成することができる。
【００３６】
さらに、内面被膜は、金、銀、銅、黄銅、アルミニウム、マグネシウム、亜鉛、チタン、クロムなどの金属から選択した少なくとも１種の金属、またはこれらの少なくとも１種の金属の合金を、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、電解メッキ、無電解メッキ等の湿式メッキ法で、非常に薄い金属膜を形成しても良い。
【００３７】
また、上記した各種の内面被膜を組み合わせることもでき、模様を形成するようにすることも可能である。
さらに、内面被膜は、側方ガラス部材自体の時計ケース胴体側の表面に形成しても良いが、時計ケース胴体の表面に形成しても良い。
【００３８】
このように内面被膜として、金属被膜、合成樹脂被膜により形成することによって、側方ガラス部材を介して、内面被膜が視認されることになるので、例えば、内面被膜が、金属被膜などの反射性を有するものであり、側方ガラス部材に多面カットが施されていれば、内面被膜のキラキラした反射効果による輝きを有する斬新なデザインが得られることになる。
【００３９】
また、内面被膜が、合成樹脂被膜によって形成した場合、例えば、この合成樹脂被膜に着色を施しておけば、金属被膜と同様に、着色されたキラキラした反射効果による輝きを有する斬新なデザインが得られることになる。
【００４０】
また、本発明の時計は、前記側方ガラス部材の側方支持部側の表面に、内面被膜が形成されていることを特徴とする。
なお、この場合、内面被膜としては、上記の側方ガラス部材の時計ケース胴体側の表面に形成した内面被膜と同様な内面被膜を用いることができる。
【００４１】
このように構成することによって、側方ガラス部材を介して斜めから視認した場合にも、内面被膜のキラキラした反射効果による輝きを有する斬新なデザインが得られることになる。
【００４２】
また、本発明の時計は、前記側方ガラス部材の下方支持部側の表面に、内面被膜が形成されていることを特徴とする。
なお、この場合、内面被膜としては、上記の側方ガラス部材の時計ケース胴体側の表面に形成した内面被膜と同様な内面被膜を用いることができる。
【００４３】
このように構成することによって、側方ガラス部材を介して上方から視認した場合にも、内面被膜のキラキラした反射効果による輝きを有する斬新なデザインが得られることになる。
【００４４】
また、本発明の時計は、前記上方ガラス部材の時計ケース胴体側の一部の表面に、内面被膜が形成されていることを特徴とする。
なお、この場合、内面被膜としては、上記の側方ガラス部材の時計ケース胴体側の表面に形成した内面被膜と同様な内面被膜を用いることができる。
【００４５】
このように構成することによって、上方ガラス部材を介して上方から視認した場合、内面被膜のキラキラした反射効果による輝きを有する斬新なデザインを、風防ガラスに実現することができる。
【００４６】
また、本発明の時計は、前記裏蓋の下面に、時計バンドの連結部が形成されていることを特徴とする。
このように裏蓋の下面に、時計バンドの連結部が形成されたタイプの腕時計を得ることができる。
【００４７】
また、本発明の時計は、前記側方支持部が延設された延設部を有し、前記延設部に時計バンドの連結部が形成されていることを特徴とする。
このように構成することによって、側方支持部が延設された延設部を有し、この延設部に時計バンドの連結部が形成されているタイプの腕時計を得ることができる。
【００４８】
また、本発明の時計は、前記側方収容凹部内に、時計ケース胴体の側面から、平面方向外側に突設する補助側方支持部が形成されて、側方収容凹部が形成されていることを特徴とする。
【００４９】
なお、この場合、補助側方支持部は、水平方向、斜め方向、上下方向など、様々な方向に、時計ケース胴体の側面から、平面方向外側に突設することができる。
このように構成することによって、補助側方支持部によって形成された側方収容凹部内に側方ガラス部材を装着することができ、デザインバリエーションのさらに拡大が図れ、高級感のある斬新なデザインの時計を提供することができる。
【００５０】
また、本発明の時計は、前記各側方収容凹部内に、複数の側方ガラス部材が装着されていることを特徴とする。
このように１つの側方収容凹部内に、複数の側方ガラス部材を装着することによって、デザインバリエーションのさらに拡大が図れ、高級感のある斬新なデザインの時計を提供することができる。
【００５１】
また、本発明の時計は、前記各側方収容凹部内に装着された複数の側方ガラス部材同士が、異なる種類の側方ガラス部材が装着されていることを特徴とする。
このように１つの側方収容凹部内に、異なる種類の側方ガラス部材、例えば、強化ガラス、白板ガラス、青板ガラスなどの無機ガラス、高純度のアルミナを巨大結晶させたサファイアガラスなどの強化ガラス、プラスチックなどの強化ガラスなどのガラスの組み合わせ、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【００５２】
また、本発明の時計は、前記時計ケース胴体が、平面視で多角形の形状であることを特徴とする。
このように構成することによって、例えば、平面視で、三角形、四角形、六角形、十二角形などに側方ガラス部材を配置することができ、特に、十二角形に配置すれば、十二時間表示の時字に対応して、側方ガラス部材を配置することができ、時刻の把握が容易になるとともに、デザインバリエーションの拡大が図れ、高級感のある斬新なデザインの時計を提供することができる。
【００５３】
また、本発明の時計は、前記時計ケース胴体が、平面視で円形の形状であることを特徴とする。
このように構成することによって、円形形状に側方ガラス部材を配置することができ、デザインバリエーションの拡大が図れ、高級感のある斬新なデザインの時計を提供することができる。
【００５４】
また、本発明の時計は、前記複数の側方支持部が、時計ケース胴体の側面から、平面方向外側に所定の中心角度で離間して突設されていることを特徴とする。
このように構成することによって、所定の中心角度で側方ガラス部材を配置することができ、特に、中心角度６０°で配置すれば、十二時間表示の時字に対応して、側方ガラス部材を配置することができ、時刻の把握が容易になるとともに、デザインバリエーションの拡大が図れ、高級感のある斬新なデザインの時計を提供することができる。
【００５５】
また、本発明の時計は、前記側方収容凹部が、複数の側方収容凹部から構成されていることを特徴とする。
このように、側方収容凹部が、複数の側方収容凹部から構成されていても良く、また、側方収容凹部は、一つの側方収容凹部から構成されていても良い。
【発明の効果】
【００５６】
本発明によれば、時計ケース胴体の側面から、平面方向外側に突設する複数の側方支持部のうち、隣接する側方支持部の間に形成された側方収容凹部に、側方ガラス部材が装着され、側方ガラス部材の側面が、隣接する側方支持部によって支持されていることになる。
【００５７】
従って、平面方向において、いかなる方向から外力が加わった場合にも、側方ガラス部材が側方支持部によって支持されている状態となり、強度的に強く、いわゆるチッピングが発生することなく、破損損傷せず、品質が低下することのない時計を提供することができる。
【００５８】
また、従来の腕時計のように、側方ガラス部材が、環状で一体でなく、複数の側方ガラス部材から構成され、多面カットなどの装飾処理、製造が簡単で、一部分でも多面カットなどの装飾処理のミスが発生した場合にも、その部分の側方ガラス部材だけを、新しい正常に装飾処理を施した側方ガラス部材に交換するだけで良く、コストを低減することができ、資源を効率よく利用できる時計を提供することができる。
【００５９】
さらに、従来の腕時計のように、側方ガラス部材が、環状で一体でなく、複数の側方ガラス部材から構成されるので、異なる種類の側方ガラス部材、例えば、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【発明を実施するための最良の形態】
【００６０】
以下、本発明の実施の形態（実施例）を図面に基づいてより詳細に説明する。
（実施例１）
図１は、本発明の時計を腕時計に適用した実施例の腕時計の斜視図、図２は、図１の腕時計の上面図、図３は、図１の腕時計の下面図、図４は、図２のＡ−Ａ線での断面図、図５は、図２のＢ−Ｂ線での断面図、図６は、図２のＣ−Ｃ線での断面図、図７は、時計ケース胴体の斜視図、図８は、時計ケース胴体の上面図、図９は、時計ケース胴体と、側方ガラス部材と、上方ガラス部材を示す分解斜視図、図１０は、図１の腕時計の分解斜視図である。
【００６１】
図１〜図６において、符号１０は、全体で本発明の腕時計を示している。
本発明の腕時計１０は、時計ケース胴体１２を備えており、この時計ケース胴体１２は、図７、図８に示したように、平面視で略井桁形状である。そして、複数の三角柱形状の側方支持部１６が、この実施例では、平面視で４つの隅角部に、時計ケース胴体１２の側面１４から、平面方向外側に上下方向に突設するように、側方支持部１６が形成されている。
【００６２】
これらの隣接する側方支持部１６の間に、複数の側方収容凹部２０、この実施例では、４つの側方収容凹部２０が形成されている。これらの側方収容凹部２０に、側方ガラス部材２２が装着されており、これにより、側方ガラス部材２２の側面が、隣接する側方支持部１６によって支持されている。
【００６３】
このように構成することによって、時計ケース胴体１２の側面１４から、平面方向外側に突設する複数の側方支持部１６のうち、隣接する側方支持部１６の間に形成された側方収容凹部２０に、側方ガラス部材２２が装着され、側方ガラス部材２２の側面が、隣接する側方支持部１６によって支持されていることになる。
【００６４】
従って、例えば、図６の矢印で示したように、平面方向において、いかなる方向から外力が加わった場合にも、側方ガラス部材２２が側方支持部１６によって支持されている状態となり、強度的に強く、いわゆるチッピングが発生することなく、破損損傷せず、品質が低下することのない時計を提供することができる。
【００６５】
また、従来の腕時計のように、側方ガラス部材２２が、環状で一体でなく、複数の側方ガラス部材２２から構成され、多面カットなどの装飾処理、製造が簡単で、一部分でも多面カットなどの装飾処理のミスが発生した場合にも、その部分の側方ガラス部材２２だけを、新しい正常に装飾処理を施した側方ガラス部材２２に交換するだけで良く、コストを低減することができ、資源を効率よく利用できる時計を提供することができる。
【００６６】
さらに、従来の腕時計のように、側方ガラス部材２２が、環状で一体でなく、複数の側方ガラス部材２２から構成されるので、異なる種類の側方ガラス部材２２、例えば、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【００６７】
この場合、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００６８】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００６９】
なお、この場合、側方収容凹部２０に側方ガラス部材２２を装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００７０】
また、時計ケース胴体１２の材料としては、特に限定されるものではなく、例えば、金、銀、銅、プラチナ、白金、黄銅、アルミニウム、マグネシウム、亜鉛、チタン、またはこれらの合金、セラミック、超硬材などを採用することができる。
【００７１】
さらに、本発明の腕時計１０では、図２に示したように、側方支持部１６の間に支持された側方ガラス部材２２が、時計ケース胴体１２の側面１４の外周に環状に配置されている。
【００７２】
このように側方支持部１６の間に支持された側方ガラス部材２２が、時計ケース胴体１２の側面１４の外周に環状に配置されているので、デザインバリエーションの拡大が図れるとともに、平面方向において、いかなる方向から外力が加わった場合にも、側方ガラス部材２２が環状に側方支持部１６によって全て支持されている状態となり、強度的にさらに強く、いわゆるチッピングが発生することなく、破損損傷せず、品質が低下することのない時計を提供することができる。
【００７３】
なお、図２に示したように、隣接する側方支持部１６の間に形成された複数の側方収容凹部２０に全てのうち、側方ガラス部材２２を装着することもできるが、少なくとも１つの側方収容凹部２０に装着すれば良く、側方ガラス部材２２の装着数、装着位置を種々選択することによって、デザインバリエーションの拡大が図れ、高級感のある斬新なデザインの時計を提供することができる。
【００７４】
また、隣接する側方支持部１６の間に形成された複数の側方収容凹部２０内に、時計ケース胴体１２の側面１４から、平面方向外側に水平方向に突設して、側方ガラス部材２２の下面を支持する下方支持部２４を備えている。
【００７５】
このように構成することによって、側方ガラス部材２２の下面が、下方支持部２４によって支持されている。
従って、上下方向から外力が加わった場合にも、側方ガラス部材２２が側方支持部１６によって支持されている状態となり、強度的に強く、いわゆるチッピングが発生することなく、破損損傷せず、品質が低下することのない時計を提供することができる。
【００７６】
また、側方ガラス部材２２は、多面カットが施された側方ガラス部材であるのが好ましい。
このように側方ガラス部材２２が、多面カットが施されているので、デザインバリエーションの拡大が図れ、高級感のある斬新なデザインの時計を提供することができる。
【００７７】
なお、この場合、多面カットとは、複数の面が様々な角度で交わった面を有するような処理を言い、特に限定されるものではない。
また、図４〜図７に示したように、時計ケース胴体１２の内面に見返し部を構成するフランジ２６が形成されており、このフランジ２６の上面に段部２８が形成され、この段部２８の上面に、風防ガラスを構成する上方ガラス部材３０が支持されており、これにより、上方ガラス部材３０が時計ケース胴体１２の上面に装着されている。
【００７８】
この時計ケース胴体１２の上面に装着される風防ガラスは、多面カットが施された上方ガラス部材であるのが望ましい。
このように、時計ケース胴体１２の上面に装着される風防ガラスを、多面カットが施された上方ガラス部材３０から構成することによって、側方収容凹部２０に装着された側方ガラス部材２２と組み合わさって、デザインバリエーションのさらに拡大が図れ、高級感のある斬新なデザインの時計を提供することができる。
【００７９】
すなわち、この実施例では、図７〜図１０に示されているように、上方ガラス部材３０は、いわゆる五面カットが施されており、矩形形状の上面３０ａの４つの辺から三角形形状の４つの斜面３０ｂが下方に傾斜して形成されており、これらの斜面３０ｂにより４つの略三角形の側面３０ｃが形成されている。
【００８０】
図９に示したように、これらの側面３０ｃの三角形に合致するような形状に、時計ケース胴体１２の側面１４の形状が構成されている。
そして、図１、図１０に示したように、この実施例では、側方ガラス部材２２の三角形の斜面２２ａの頂点と、上方ガラス部材３０の斜面３０ｂの間の境界線３０ｄとが合致して立体幾何学的に美麗なデザインを構成するようになっている。
【００８１】
また、時計ケース胴体１２の裏面に装着される裏蓋３２が、側方支持部１６に、ネジなどの係止部材３４によって係止されている。
このように構成することによって、時計ケース胴体１２の裏面に裏蓋３２を、側方支持部１６に、例えば、ネジなどの係止部材３４によって係止することができるので、裏蓋３２を、時計ケース胴体１２の裏面に確実に固定することができる。
【００８２】
なお、図５の矢印で示したように、側方ガラス部材２２の下面は、裏蓋３２に覆われていない状態となっているので、下方より側方ガラス部材２２内に光が入り、上方、側方などに通過して多面カット面で散乱されることになるので、キラキラした輝きを増す効果もある。
【００８３】
なお、図４〜図６中、符号３８は、表示板、４０は、ムーブメント、４２は、ムーブメント４０を支持する支持枠、４４は、防水パッキン、４６は、時針、４８は、分針を示している。
【００８４】
さらに、図７〜図１０に示したように、時計ケース胴体１２の側面１４には、例えば、リューズなどの操作部材５０を装着するための突設部５２が形成されており、この突設部５２に対応して、側方ガラス部材２２に、時計の操作部材用の開口部５４が形成されている。
【００８５】
図５、図１０に示したように、時計ケース胴体１２の突設部５２の開口部５２ａに、パイプ１８、パッキン３６を介して、リューズなどの操作部材５０が、ムーブメント４０の操作棒部材４０ａに連結するように装着されており、操作部材５０の操作部分５０ａが、側方ガラス部材２２の操作部材用の開口部５４を介して露出し、これにより操作ができるようになっている。
【００８６】
このように側方ガラス部材２２に、時計の操作部材用の開口部５４が形成されているので、この開口部５４を介して、例えば、リューズなどの操作部材５０を操作して、時計の時刻合わせ、日付、曜日合わせなど各種の操作を容易に行うことができる。
【００８７】
また、図４〜図５に示したように、側方ガラス部材２２の時計ケース胴体１２側の表面に、内面被膜５６が形成されているのが望ましい。
なお、この場合、内面被膜５６としては、有色被膜や反射被膜とすることができる。
【００８８】
また、内面被膜５６は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【００８９】
さらに、内面被膜５６は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。また、内面被膜５６は、印刷、スピンコート、ディッピング、刷毛塗り、噴霧塗装、静電塗装、電着塗装等の塗装などにより形成した、例えば、有機染料若しくは無機染料を含む、インクまたは塗料を、被覆することによって形成することができる。
【００９０】
さらに、内面被膜５６は、金、銀、銅、黄銅、アルミニウム、マグネシウム、亜鉛、チタン、クロムなどの金属から選択した少なくとも１種の金属、またはこれらの少なくとも１種の金属の合金を、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、電解メッキ、無電解メッキ等の湿式メッキ法で、非常に薄い金属膜を形成しても良い。
【００９１】
また、上記した各種の内面被膜５６を組み合わせることもでき、模様を形成するようにすることも可能である。
さらに、内面被膜５６は、側方ガラス部材２２自体の時計ケース胴体１２側の表面に形成しても良いが、時計ケース胴体の表面に形成しても良い。
【００９２】
このように内面被膜５６として、金属被膜、合成樹脂被膜により形成することによって、側方ガラス部材を介して、内面被膜５６が視認されることになるので、例えば、内面被膜５６が、金属被膜などの反射性を有するものであり、側方ガラス部材に多面カットが施されていれば、内面被膜５６のキラキラした反射効果による輝きを有する斬新なデザインが得られることになる。
【００９３】
また、内面被膜５６が、合成樹脂被膜によって形成した場合、例えば、この合成樹脂被膜に着色を施しておけば、金属被膜と同様に、着色されたキラキラした反射効果による輝きを有する斬新なデザインが得られることになる。
【００９４】
また、図示しないが、側方ガラス部材２２の側方支持部１６側の表面に、内面被膜を形成することもできる。
なお、この場合、内面被膜としては、上記の側方ガラス部材２２の時計ケース胴体１２側の表面に形成した内面被膜５６と同様な内面被膜を用いることができる。
【００９５】
このように構成することによって、側方ガラス部材２２を介して斜めから視認した場合にも、内面被膜のキラキラした反射効果による輝きを有する斬新なデザインが得られることになる。
【００９６】
また、図示しないが、側方ガラス部材２２の下方支持部２４側の表面に、内面被膜を形成することもできる。
なお、この場合、内面被膜としては、上記の側方ガラス部材２２の時計ケース胴体１２側の表面に形成した内面被膜５６と同様な内面被膜を用いることができる。
【００９７】
このように構成することによって、側方ガラス部材２２を介して上方から視認した場合にも、内面被膜のキラキラした反射効果による輝きを有する斬新なデザインが得られることになる。
【００９８】
また、図２、図４〜図６に示したように、上方ガラス部材３０の時計ケース胴体１２側の一部の表面に、この実施例では、外周部分に、内面被膜５８が形成されているのが望ましい。
【００９９】
なお、この場合、内面被膜５８としては、上記の側方ガラス部材２２の時計ケース胴体１２側の表面に形成した内面被膜５６と同様な内面被膜を用いることができる。
このように構成することによって、上方ガラス部材３０を介して上方から視認した場合、内面被膜５８のキラキラした反射効果による輝きを有する斬新なデザインを、風防ガラスに実現することができる。
【０１００】
また、図１、図３〜図５に示したように、裏蓋３２の下面に、時計バンド６０の連結部６２が形成されており、この連結部６２の連結孔６２ａに、連結棒６４を介して、時計バンド６０が脱着自在に連結されている。
【０１０１】
このように裏蓋３２の下面に、時計バンド６０の連結部６２が形成されたタイプの腕時計１０を得ることができる。
【０１０２】
（実施例２）
図１１は、本発明の別の実施例の時計の図２と同様な腕時計の上面図、図１２は、図１１の腕時計の図６と同様な断面図、図１３は、図１１の腕時計の図９と同様な時計ケース胴体と、側方ガラス部材と、上方ガラス部材を示す分解斜視図である。
【０１０３】
この実施例の腕時計１０は、図１〜図１０に示した実施例１の腕時計１０と基本的には同様な構成であり、同一の構成部材には、同一の参照番号を付して、その詳細な説明を省略する。
【０１０４】
この実施例の腕時計１０では、側方支持部１６の上面に、凹部６５が形成されており、この凹部６５に側方ガラス部材６６が装着されている。
なお、図１２に示されているように、この側方ガラス部材６６の時計ケース胴体１２側の表面（この実施例では、側面１４側と下方側）にも、内面被膜５６と同様な内面被膜５６が形成されており、側方ガラス部材２２と同様にキラキラした反射効果による輝きを有する斬新なデザインを、風防ガラスに実現することができるようになっている。
【０１０５】
このように構成することによって、側方収容凹部２０に側方ガラス部材２２が装着されているだけでなく、側方支持部１６の上面に形成された凹部６５にも、側方ガラス部材６６が装着されているので、デザインバリエーションの拡大が図れ、高級感のある斬新なデザインの時計を提供することができる。
【０１０６】
（実施例３）
図１４は、本発明の別の実施例の時計の図１と同様な斜視図、図１５は、図１４の腕時計の図２と同様な腕時計の上面図、図１６は、図１４の腕時計の図９と同様な時計ケース胴体と、側方ガラス部材と、上方ガラス部材を示す分解斜視図である。
【０１０７】
この実施例の腕時計１０は、図１１〜図１３に示した実施例２の腕時計１０と基本的には同様な構成であり、同一の構成部材には、同一の参照番号を付して、その詳細な説明を省略する。
【０１０８】
この実施例の腕時計１０では、側方支持部１６が延設された延設部６８を有し、この延設部６８に時計バンドの連結部７０が形成されている。
このように構成することによって、側方支持部１６が延設された延設部６８を有し、この延設部６８に時計バンド６０の連結部７０が形成されているタイプの腕時計を得ることができる。
【０１０９】
（実施例４）
図１７は、本発明の別の実施例の時計の図２と同様な腕時計の上面図、図１８は、図１７の腕時計の図９と同様な時計ケース胴体と、側方ガラス部材と、上方ガラス部材を示す分解斜視図である。
【０１１０】
この実施例の腕時計１０は、図１〜図１０に示した実施例１の腕時計１０と基本的には同様な構成であり、同一の構成部材には、同一の参照番号を付して、その詳細な説明を省略する。
【０１１１】
この実施例の腕時計１０では、側方収容凹部２０内に、時計ケース胴体１２の側面１４から、平面方向外側に、上下方向に突設する補助側方支持部７２が形成されて、側方収容凹部７４が形成されている。この実施例の場合には、各側方収容凹部２０内に、１つの補助側方支持部７２が形成されている。
【０１１２】
なお、この場合、補助側方支持部７２は、図示しないが、水平方向、斜め方向など、様々な方向に、時計ケース胴体１２の側面から、平面方向外側に突設することができる。
このように構成することによって、補助側方支持部７２によって形成された側方収容凹部７４内に側方ガラス部材２２を装着することができ、デザインバリエーションのさらに拡大が図れ、高級感のある斬新なデザインの時計を提供することができる。
【０１１３】
（実施例５）
図１９は、本発明の別の実施例の時計の図２と同様な腕時計の上面図、図２０は、図１９の腕時計の図９と同様な時計ケース胴体と、側方ガラス部材と、上方ガラス部材を示す分解斜視図である。
【０１１４】
この実施例の腕時計１０は、図１７〜図１８に示した実施例４の腕時計１０と基本的には同様な構成であり、同一の構成部材には、同一の参照番号を付して、その詳細な説明を省略する。
【０１１５】
上記の実施例の場合には、各側方収容凹部２０内に、１つの補助側方支持部７２が形成されていたが、この実施例の腕時計１０では、各側方収容凹部２０内に、複数の異なった数の補助側方支持部７２が形成されている。これにより、デザインバリエーションのさらに拡大が図れ、高級感のある斬新なデザインの時計を提供することができる。
【０１１６】
（実施例６）
図２１は、本発明の別の実施例の時計の図２と同様な腕時計の上面図、図２２は、図２１の腕時計の側面図である。
この実施例の腕時計１０は、図１７〜図１８に示した実施例４の腕時計１０と基本的には同様な構成であり、同一の構成部材には、同一の参照番号を付して、その詳細な説明を省略する。
【０１１７】
この実施例の腕時計１０では、各側方収容凹部２０、側方収容凹部７４内に、側方ガラス部材２２内に、複数の側方ガラス部材２２が装着されている。
このように１つの側方収容凹部２０、７４内に、複数の側方ガラス部材２２を装着することによって、デザインバリエーションのさらに拡大が図れ、高級感のある斬新なデザインの時計を提供することができる。
【０１１８】
また、この場合、各側方収容凹部２０、７４内に装着された複数の側方ガラス部材２２同士が、図２２に示したように、例えば、ヘアーラインなどの目付け模様などの異なる種類の側方ガラス部材が装着されているのが望ましい。
【０１１９】
このように１つの側方収容凹部２０、７４内に、異なる種類の側方ガラス部材２２、例えば、強化ガラス、白板ガラス、青板ガラスなどの無機ガラス、高純度のアルミナを巨大結晶させたサファイアガラスなどの強化ガラス、プラスチックなどの強化ガラスなどのガラスの組み合わせ、異なる色の組み合わせ、フラットの通常のガラスと、多面カットガラスの組み合わせ、この実施例のように、ヘアーラインなどの目付け模様などの異なるガラスの組み合わせなどを選択することによって、デザインバリエーションの拡大が図れ、高級感のある斬新なデザインの時計を提供することができる。
【０１２０】
（実施例７）
図２３は、本発明の別の実施例の時計の図２と同様な腕時計の上面図である。
この実施例の腕時計１０は、図１〜図１０に示した実施例１の腕時計１０と基本的には同様な構成であり、同一の構成部材には、同一の参照番号を付して、その詳細な説明を省略する。
【０１２１】
この実施例の腕時計１０では、時計ケース胴体１２が、平面視で三角形の形状であり、時計ケース胴体１２の側面１４の平面視で頂点の一部分に、側方支持部１６が形成されている。
【０１２２】
また、この実施例では、１つの側方支持部１６に、例えば、いわゆるナス環などの止め具７６が設けられており、これにより、バッグなどに取り付けるアクセサリーなどの時計付き装身具として使用できるようになっており、デザインバリエーションの拡大が図れ、高級感のある斬新なデザインの時計を提供することができる。
【０１２３】
（実施例８）
図２４は、本発明の別の実施例の時計の図２と同様な腕時計の上面図である。
この実施例の腕時計１０は、図１〜図１０に示した実施例１の腕時計１０と基本的には同様な構成であり、同一の構成部材には、同一の参照番号を付して、その詳細な説明を省略する。
【０１２４】
この実施例の腕時計１０では、時計ケース胴体１２が、平面視で矩形の形状であり、時計ケース胴体１２の側面１４の平面視で頂点の部分から、略４５°の角度で、時計ケース胴体１２の側面１４から、平面方向外側に、上下方向に突設する側方支持部１６が形成されている。
【０１２５】
これにより、異なる形状の複数の側方ガラス部材２２となり、デザインバリエーションの拡大が図れ、高級感のある斬新なデザインの時計を提供することができる。
【０１２６】
（実施例９）
図２５は、本発明の別の実施例の時計の図２と同様な腕時計の上面図である。
この実施例の腕時計１０は、図１〜図１０に示した実施例１の腕時計１０と基本的には同様な構成であり、同一の構成部材には、同一の参照番号を付して、その詳細な説明を省略する。
【０１２７】
この実施例の腕時計１０では、時計ケース胴体１２が、平面視で多角形の形状であり、この実施例では、１２角形となっている。これらの１２角形の頂点からそれぞれ、平面方向外側に、上下方向に突設する側方支持部１６が形成されており、十二時間表示の時字７８に対応して、側方ガラス部材２２が配置されている。
【０１２８】
このように構成することによって、例えば、平面視で、三角形、四角形、六角形、十二角形などに側方ガラス部材２２を配置することができ、特に、この実施例のように十二角形に配置すれば、十二時間表示の時字７８に対応して、側方ガラス部材２２を配置することができ、時刻の把握が容易になるとともに、デザインバリエーションの拡大が図れ、高級感のある斬新なデザインの時計を提供することができる。
【０１２９】
（実施例１０）
図２６は、本発明の別の実施例の時計の図２と同様な腕時計の上面図である。
この実施例の腕時計１０は、図１〜図１０に示した実施例１の腕時計１０と基本的には同様な構成であり、同一の構成部材には、同一の参照番号を付して、その詳細な説明を省略する。
【０１３０】
この実施例の腕時計１０では、時計ケース胴体１２が、平面視で円形の形状であり、所定の中心角度で離間して、この実施例では、中心角度αが６０°で、時計ケース胴体１２の側面１４から、平面方向外側に、上下方向に突設する側方支持部１６が形成されており、各側方収容凹部２０に略扇形状の側方ガラス部材２２が装着されている。
【０１３１】
なお、この中心角度αは、特に限定されるものではなく、デザインに応じて、適宜選択することができる。
このように構成することによって、円形形状に所定の中心角度で側方ガラス部材２２を配置することができ、特に、中心角度６０°で配置すれば、十二時間表示の時字７８に対応して、側方ガラス部材２２を配置することができ、時刻の把握が容易になるとともに、デザインバリエーションの拡大が図れ、高級感のある斬新なデザインの時計を提供することができる。
【０１３２】
以上、本発明の好ましい実施の態様を説明してきたが、本発明はこれに限定されることはなく、例えば、上記実施例では、本発明の時計を、腕時計に適用したが、置時計、時計付き装身具などにも用いることもでき、本発明の目的を逸脱しない範囲で種々の変更が可能である。
【図面の簡単な説明】
【０１３３】
【図１】図１は、本発明の時計を腕時計に適用した実施例の腕時計の斜視図である。
【図２】図２は、図１の腕時計の上面図図である。
【図３】図３は、図１の腕時計の下面図である。
【図４】図４は、図２のＡ−Ａ線での断面図である。
【図５】図５は、図２のＢ−Ｂ線での断面図である。
【図６】図６は、図６は、図２のＣ−Ｃ線での断面図である。
【図７】図７は、時計ケース胴体の斜視図である。
【図８】図８は、時計ケース胴体の上面図である。
【図９】図９は、時計ケース胴体と、側方ガラス部材と、上方ガラス部材を示す分解斜視図である。
【図１０】図１０は、図１の腕時計の分解斜視図である。
【図１１】図１１は、本発明の別の実施例の時計の図２と同様な腕時計の上面図である。
【図１２】図１２は、図１１の腕時計の図６と同様な断面図である。
【図１３】図１３は、図１１の腕時計の図９と同様な時計ケース胴体と、側方ガラス部材と、上方ガラス部材を示す分解斜視図である。
【図１４】図１４は、本発明の別の実施例の時計の図１と同様な斜視図である。
【図１５】図１５は、図１４の腕時計の図２と同様な腕時計の上面図である。
【図１６】図１６は、図１４の腕時計の図９と同様な時計ケース胴体と、側方ガラス部材と、上方ガラス部材を示す分解斜視図である。
【図１７】図１７は、本発明の別の実施例の時計の図２と同様な腕時計の上面図である。
【図１８】図１８は、図１７の腕時計の図９と同様な時計ケース胴体と、側方ガラス部材と、上方ガラス部材を示す分解斜視図である。
【図１９】図１９は、本発明の別の実施例の時計の図２と同様な腕時計の上面図である。
【図２０】図２０は、図１９の腕時計の図９と同様な時計ケース胴体と、側方ガラス部材と、上方ガラス部材を示す分解斜視図である。
【図２１】図２１は、本発明の別の実施例の時計の図２と同様な腕時計の上面図である。
【図２２】図２２は、図２１の腕時計の側面図である。
【図２３】図２３は、本発明の別の実施例の時計の図２と同様な腕時計の上面図である。
【図２４】図２４は、本発明の別の実施例の時計の図２と同様な腕時計の上面図である。
【図２５】図２５は、本発明の別の実施例の時計の図２と同様な腕時計の上面図である。
【図２６】図２６は、本発明の別の実施例の時計の図２と同様な腕時計の上面図である。
【図２７】図２７は、従来のガラス部材を備えた腕時計の平面図である。
【図２８】図２８は、従来のガラス部材を備えた部分拡大断面図である。
【符号の説明】
【０１３４】
１０   腕時計
１２   時計ケース胴体
１４   側面
１６   側方支持部
１８   パイプ
２０   側方収容凹部
２２   側方ガラス部材
２２ａ 斜面
２４   下方支持部
２６   フランジ
２８   段部
３０   上方ガラス部材
３０ａ 上面
３０ｂ 斜面
３０ｃ 側面
３０ｄ 境界線
３２   裏蓋
３４   係止部材
３６   パッキン
３８   表示板
４０   ムーブメント
４０ａ 操作棒部材
５０   操作部材
５０ａ 操作部分
５２   突設部
５２ａ 開口部
５４   開口部
５６   内面被膜
５８   内面被膜
６０   時計バンド
６２   連結部
６２ａ 連結孔
６４   連結棒
６５   凹部
６６   側方ガラス部材
６８   延設部
７０   連結部
７２   補助側方支持部
７４   側方収容凹部
７６   止め具
７８   時字
１００ 腕時計
１０２ 時計ケース胴体
１０４ 側面
１０６ 上方フランジ
１０８ 裏蓋
１１０ 締結部材
１１２ 延設部
１１４ 側方収容凹部
１１６ 側方ガラス部材
１１８ リングパッキン
１２０ パッキン
１２２ 風防ガラス
１２４ 防水パッキン
１２６ 表示板
１２８ ムーブメント
１３０ 支持枠
１３２ 連結部材
１３４ バンド
１３６ 操作部材
【図１】
2010127765.tif 000003
【図２】
2010127765.tif 000004
【図３】
2010127765.tif 000005
【図４】
2010127765.tif 000006
【図５】
2010127765.tif 000007
【図６】
2010127765.tif 000008
【図７】
2010127765.tif 000009
【図８】
2010127765.tif 000010
【図９】
2010127765.tif 000011
【図１０】
2010127765.tif 000012
【図１１】
2010127765.tif 000013
【図１２】
2010127765.tif 000014
【図１３】
2010127765.tif 000015
【図１４】
2010127765.tif 000016
【図１５】
2010127765.tif 000017
【図１６】
2010127765.tif 000018
【図１７】
2010127765.tif 000019
【図１８】
2010127765.tif 000020
【図１９】
2010127765.tif 000021
【図２０】
2010127765.tif 000022
【図２１】
2010127765.tif 000023
【図２２】
2010127765.tif 000024
【図２３】
2010127765.tif 000025
【図２４】
2010127765.tif 000026
【図２５】
2010127765.tif 000027
【図２６】
2010127765.tif 000028
【図２７】
2010127765.tif 000029
【図２８】
2010127765.tif 000030